(57)【要約】【課題】新たなプラント制御の導入を比較的容易にする。【解決手段】制御切替装置が、制御対象の制御を行う第一制御実行部による制御とは異なる制御を前記制御対象に対して行う第二制御実行部の使用又は不使用の切替操作を受ける操作入力部と、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、を備える。【選択図】図１
2019008579.tif 000002
【特許請求の範囲】
【請求項１】
制御対象の制御を行う第一制御実行部による制御とは異なる制御を前記制御対象に対して行う第二制御実行部の使用又は不使用の切替操作を受ける操作入力部と、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、
を備える制御切替装置。
【請求項２】
前記第二制御モードにて前記制御対象を制御させた場合の効果を表示する表示部を備える、請求項１に記載の制御切替装置。
【請求項３】
前記表示部は、前記第二制御モードにて前記制御対象を制御させた場合の効果を、前記第一制御モードにて前記制御対象を制御させた場合の効果との比較にて表示する、請求項２に記載の制御切替装置。
【請求項４】
前記表示部は、前記第一制御モードにて前記制御対象を制御させた場合の実測データに基づく運転結果情報と、前記第二制御モードにて前記制御対象を制御させた場合の実測データに基づく運転結果情報とを表示する、
請求項３に記載の制御切替装置。
【請求項５】
前記制御対象の運転パラメータの履歴と、前記第一制御モードにて、前記運転パラメータの履歴に示される運転パラメータを用いて前記制御対象を制御させた結果とを示す第一運転履歴情報を記憶する記憶部と、
前記第二制御モードにて、前記運転パラメータの履歴に示される運転パラメータを用いて前記制御対象を制御させた場合のシミュレーションを行って、シミュレーション結果を示す第二運転履歴情報を算出するシミュレーション実行部と、
を備え、
前記表示部は、前記第一運転履歴情報と前記第二運転履歴情報とを表示する、
請求項３に記載の制御切替装置。
【請求項６】
前記第二制御実行部による前記制御対象の制御の程度を示す利用情報を取得する利用情報取得部と、
前記利用情報に基づいて、前記第二制御実行部の利用に対する課金を計算する課金算出部と、
を備える請求項１から５の何れか一項に記載の制御切替装置。
【請求項７】
制御対象と、
前記制御対象の制御を行う第一制御実行部と、
前記制御対象に対して前記第一制御実行部による制御とは異なる制御を行う第二制御実行部と、
前記第二制御実行部の使用又は不使用の切替操作を受ける操作入力部と、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、
を備えるプラント。
【請求項８】
前記第二制御モードにおける制御を実装するためのアプリケーションプログラムを生成するアプリケーション生成部と、
前記アプリケーションプログラムのインストールにより前記第二制御モードにおける制御を実装するアプリケーションインストール部と、
を備える請求項７に記載のプラント。
【請求項９】
制御対象の制御を行う第一制御実行部による制御とは異なる制御を前記制御対象に対して行う第二制御実行部の使用又は不使用の切替操作を受け、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる
ことを含む制御切替方法。
【請求項１０】
コンピュータに、
制御対象の制御を行う第一制御実行部による制御とは異なる制御を前記制御対象に対して行う第二制御実行部の使用又は不使用の切替操作を示す切替操作情報を取得させ、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる
ためのプログラム。
【発明の詳細な説明】
【技術分野】
【０００１】
本発明は、制御切替装置、プラント、制御切替方法およびプログラムに関する。
【背景技術】
【０００２】
プラントの監視又は制御に関連して幾つかの技術が提案されている。
例えば、特許文献１には、発電プラントの起動停止操作を遠隔で行う、発電プラントの遠隔運転操作システムが記載されている。このシステムは、複数の火力発電プラントと遠隔制御センタとを備える。火力発電プラントは、通信端末を介して入力される操作信号に基づいて各要素を制御する機能を備える。遠隔制御センタは、通信端末を介して各火力発電プラントの制御対象となる要素にアクセスし、当該火力発電プラントの起動・停止を含む運転状態を遠隔制御する。
【０００３】
また、特許文献２には、プラントの管理者に情報提供を行うためのプラントサービスデータサーバが記載されている。このサーバは、サイトからの運転データ、及び、プラントの管理者からの運転データに関する情報を受信して記憶する。また、このサーバには、サービス情報提供項目が登録される。そして、このサーバでは、複数のサービス情報提供者が、運転データ記憶手段に記憶されている複数の運転データのうち、登録されているサービス情報提供項目に係るデータを使って加工した加工データをサービス情報として取得して、プラントの管理者に送信する。
【先行技術文献】
【特許文献】
【０００４】
【特許文献１】特開２００３−５２０８３号公報
【特許文献２】特許第３６５８５８７号公報
【発明の概要】
【発明が解決しようとする課題】
【０００５】
技術の進歩等に伴いプラント等の制御が更新される場合がある。一方、新たな制御が可能になっても、何らかの理由により必ずしも新たな制御が導入されるとは限らない。例えば、新たなプラント制御を導入するための費用が高額である場合、導入費用に見合うだけの効果を得られる確証を得られないと導入が見送られることが考えられる。
これに対し、新たな制御（今まで用いられていた制御以外の制御）の導入を容易にすることができれば好ましい。例えば、プラントの運転効率を向上させる制御が開発された場合、この制御を更新して運転効率の向上を図ることができる。
【０００６】
本発明は、新たな制御の導入を比較的容易にすることができる制御切替装置、プラント、制御切替方法およびプログラムを提供する。
【課題を解決するための手段】
【０００７】
本発明の第１の態様によれば、制御切替装置は、制御対象の制御を行う第一制御実行部による制御とは異なる制御を前記制御対象に対して行う第二制御実行部の使用又は不使用の切替操作を受ける操作入力部と、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、を備える。
【０００８】
前記第二制御モードにて前記制御対象を制御させた場合の効果を表示する表示部を備えるようにしてもよい。
【０００９】
前記表示部は、前記第二制御モードにて前記制御対象を制御させた場合の効果を、前記第一制御モードにて前記制御対象を制御させた場合の効果との比較にて表示するようにしてもよい。
【００１０】
前記表示部は、前記第一制御モードにて前記制御対象を制御させた場合の実測データに基づく運転結果情報と、前記第二制御モードにて前記制御対象を制御させた場合の実測データに基づく運転結果情報とを表示するようにしてもよい。
【００１１】
前記制御対象の運転パラメータの履歴と、前記第一制御モードにて、前記運転パラメータの履歴に示される運転パラメータを用いて前記制御対象を制御させた結果とを示す第一運転履歴情報を記憶する記憶部と、前記第二制御モードにて、前記運転パラメータの履歴に示される運転パラメータを用いて前記制御対象を制御させた場合のシミュレーションを行って、シミュレーション結果を示す第二運転履歴情報を算出するシミュレーション実行部と、を備え、前記表示部は、前記第一運転履歴情報と前記第二運転履歴情報とを表示するようにしてもよい。
【００１２】
前記第二制御実行部による前記制御対象の制御の程度を示す利用情報を取得する利用情報取得部と、前記利用情報に基づいて、前記第二制御実行部の利用に対する課金を計算する課金算出部と、を備えるようにしてもよい。
【００１３】
本発明の第２の態様によれば、プラントは、制御対象と、前記制御対象の制御を行う第一制御実行部と、前記制御対象に対して前記第一制御実行部による制御とは異なる制御を行う第二制御実行部と、前記第二制御実行部の使用又は不使用の切替操作を受ける操作入力部と、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、を備える。
【００１４】
前記第二制御モードにおける制御を実装するためのアプリケーションプログラムを生成するアプリケーション生成部と、前記アプリケーションプログラムのインストールにより前記第二制御モードにおける制御を実装するアプリケーションインストール部と、
を備えるようにしてもよい。
【００１５】
本発明の第３の態様によれば、制御切替方法は、制御対象の制御を行う第一制御実行部による制御とは異なる制御を前記制御対象に対して行う第二制御実行部の使用又は不使用の切替操作を受け、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させることを含む。
【００１６】
本発明の第４の態様によれば、プログラムは、コンピュータに、制御対象の制御を行う第一制御実行部による制御とは異なる制御を前記制御対象に対して行う第二制御実行部の使用又は不使用の切替操作を示す切替操作情報を取得させ、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させるためのプログラムである。
【発明の効果】
【００１７】
上記した制御切替装置、プラント、制御切替方法およびプログラムによれば、新たな制御の導入を比較的容易にすることができる。
【図面の簡単な説明】
【００１８】
【図１】本発明の第一実施形態に係るプラントの機能構成を示す概略ブロック図である。
【図２】本発明の第二実施形態に係る発電プラントの装置構成を示す概略構成図である。
【図３】同実施形態に係る制御対象の構成を示す概略構成図である。
【図４】同実施形態に係る制御装置の機能構成を示す概略ブロック図である。
【図５】同実施形態に係るリモートサーバ装置本体の機能構成を示す概略ブロック図である。
【図６】同実施形態に係るリモート端末装置の機能構成を示す概略ブロック図である。
【図７】同実施形態に係る制御切替装置本体の機能構成を示す概略ブロック図である。
【図８】同実施形態に係る制御切替端末装置の機能構成を示す概略ブロック図である。
【図９】同実施形態に係る第二制御実行部による弁開度の変更例を示すグラフである。
【図１０】同実施形態に係る切替側表示部が、第二制御実行部が制御対象を制御する場合の性能改善量の予測値を表示する場合の、発電プラントの動作例を示す図である。
【図１１】同実施形態に係る発電プラントの出力の例を示すグラフである。
【図１２】同実施形態に係る第一制御実行部が制御を行う場合の弁開度の例、及び、第二制御実行部が制御を行う場合の弁開度の例を示すグラフである。
【図１３】同実施形態に係る第二制御実行部を利用することによる効果の例を示す図である。
【図１４】同実施形態に係る第二制御実行部を利用して弁開度を制御することによる、実際の改善効果の表示例を示すグラフである。
【図１５】同実施形態に係る第二制御実行部による冷却空気温度の変更例を示すグラフである。
【図１６】大気温度の例を示すグラフである。
【図１７】同実施形態に係る第一制御実行部が制御を行う場合の冷却空気温度の例、及び、第二制御実行部が制御を行う場合の冷却空気温度の例を示すグラフである。
【図１８】同実施形態に係る第二制御実行部を利用することによる効果の例を示す図である。
【図１９】同実施形態に係る第二制御実行部を利用しない場合、第二制御実行部を利用する場合それぞれのプラント出力の例を示すグラフである。
【図２０】同実施形態に係る第二制御実行部を利用して冷却空気温度を制御することによる、実際の改善効果の表示例を示すグラフである。
【図２１】少なくとも１つの実施形態に係るコンピュータの構成例を示す概略ブロック図である。
【発明を実施するための形態】
【００１９】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
【００２０】
＜第一実施形態＞
図１は、本発明の第一実施形態に係るプラントの機能構成を示す概略ブロック図である。図１に示すように、プラント１０は、制御対象１１と、第一制御実行部１２と、第二制御実行部１３と、操作入力部１４と、制御切替部１５とを備える。
【００２１】
プラント１０は、制御対象１１を制御して動作させるプラントである。制御対象１１は、特定のものに限定されない。従って、プラント１０は特定の種類のプラントに限定されない。
第一制御実行部１２、第二制御実行部１３の各々は、制御対象１１を制御する。第一制御実行部１２が行う制御と第二制御実行部１３が行う制御とは異なる。すなわち、第二制御実行部１３は、第一制御実行部１２による制御とは異なる制御を前記制御対象に対して行う。
【００２２】
第一制御実行部１２が行う制御と第二制御実行部１３が行う制御との違いは、特定の違いに限定されない。例えば、第一制御実行部１２が行う制御と第二制御実行部１３が行う制御とで、制御ロジック及びパラメータ値のうち何れか一方が異なっていてもよいし、両方が異なっていてもよい。
また、第二制御実行部１３が制御対象１１を制御する場合、第二制御実行部１３単独で（第一制御実行部１２から独立して）制御を行うようにしてもよいし、第二制御実行部１３が第一制御実行部１２と協働して制御を行うようにしてもよい。例えば、第二制御実行部１３が、第一制御実行部１２からの出力値に対して補正を行うようにしてもよい。あるいは、第二制御実行部１３が、第一制御実行部１２への入力値に対して補正を行うようにしてもよい。
【００２３】
操作入力部１４は、第二制御実行部１３の使用又は不使用の切り替えを指示するユーザ操作を受ける。
制御切替部１５は、操作入力部１４が受けるユーザ操作に基づいて、第一制御実行部１２による制御を行う第一制御モードと第二制御実行部１３による制御を行う第二制御モードとを切り替える。
第二制御実行部１３の使用を指示するユーザ操作が行われ、第二制御実行部１３に制御対象１１を制御させるモードである第二制御モードに遷移した場合、制御切替部１５は、第二制御実行部１３に制御対象１１を制御させる。この場合、上記のように、第一制御実行部１２と第二制御実行部１３とに協働で制御対象１１を制御させるようにしてもよいし、第一制御実行部１２による制御を停止させて第二制御実行部１３に制御対象１１を制御させるようにしてもよい。
一方、第一制御実行部１２の使用を指示するユーザ操作が行われ、第一制御実行部１２に制御対象１１を制御させるモードである第一制御モードに遷移した場合、制御切替部１５は、第二制御実行部１３による制御を停止させて第一制御実行部１２に制御対象１１を制御させる。
なお、操作入力部１４及び制御切替部１５を制御切替装置として構成するようにしてもよい。
【００２４】
以上のように、操作入力部１４は、第二制御実行部１３の使用又は不使用の切替操作を受ける。第二制御実行部１３の使用を指示する操作が行われた場合、制御切替部１５は、第二制御実行部１３に制御対象１１を制御させるか、あるいは、第一制御実行部１２及び第二制御実行部１３に制御対象１１を制御させる。一方、第二制御実行部１３の不使用を指示する操作が行われた場合、制御切替部１５は、第二制御実行部１３による制御を停止させて第一制御実行部１２に制御対象１１を制御させる。
【００２５】
このように、制御切替部１５がユーザ操作に応じて第二制御実行部１３の使用又は不使用を切り替えることで、ユーザは、第二制御実行部１３を試験的に使用することができる。従って、ユーザは、第二制御実行部１３を試験的に使用してみて、これを導入するか否かを決定することができる。この点で、プラント１０によれば、第二制御実行部１３が行う新たな制御の導入を比較的容易にすることができる。
【００２６】
例えば、ユーザは、第二制御実行部１３を使用してみて良好な結果を得られた場合、そのまま第二制御実行部１３を定常的に使用し続けるようにしてもよいし、必要時のみ第二制御実行部１３を使用するなどスポット的に使用するようにしてもよい。一方、ユーザは、第二制御実行部１３を使用してみて良好な結果を得られなかった場合、第二制御実行部１３の使用を抑制することができる。すなわち、ユーザは、第二制御実行部１３による制御対象１１の制御を停止させることができる。
【００２７】
また、第一制御実行部１２と第二制御実行部１３とが機能的に分離されていることで、第二制御実行部１３の使用に対する課金の体系を柔軟に設定することができる。特に、第二制御実行部１３の使用に対して従量制課金を行うことができる。
例えば、第二制御実行部１３の提供者が、ユーザが第二制御実行部１３を使用した時間に応じて課金するようにしてもよい。あるいは、第二制御実行部１３の提供者が、ユーザが第二制御実行部１３の使用によって得られた効果の定量的評価に基づいて課金するようにしてもよい。ここでいう効果は、例えば運転が効率化されたことによる燃料費削減効果など、金銭的な効果、すなわち金銭的な利益であってもよい。また、第二制御実行部の演算量又は演算結果のデータ送信量に基づいて課金してもよい。
また、第二制御実行部１３の使用に対する課金を従量制課金とすることで、第二制御実行部１３を装置として販売する場合と比較して、初期費用を安く抑えることができる。この点で、プラント１０によれば、第二制御実行部１３が行う新たな制御の導入を比較的容易にすることができる。
【００２８】
＜第二実施形態＞
第二実施形態では、第一実施形態をさらに具体化した例について説明する。
図２は、本発明の第二実施形態に係る発電プラントの装置構成を示す概略構成図である。２図に示すように、発電プラント２０は、制御対象２１と、制御装置２２と、ゲートウェイ（Gateway）装置２３と、リモートサーバ装置本体２５と、リモート端末装置２６と、制御切替装置本体２８と、制御切替端末装置２９とを備える。
【００２９】
リモートサーバ装置本体２５とリモート端末装置２６を併せてリモートサーバ装置２４と称する。制御切替装置本体２８と制御切替端末装置２９とを併せて制御切替装置２７を称する。
また、ゲートウェイ装置２３、リモートサーバ装置２４、制御切替装置本体２８の各々は通信ネットワーク９１に通信接続する。制御装置２２は、ゲートウェイ装置２３を介して通信ネットワーク９１に通信接続する。
【００３０】
発電プラント２０はガスタービン発電プラントであり、燃料ガスをガスタービンで燃焼させて発電を行う。但し、発電プラント２０はガスタービン発電プラント以外のプラントであってもよい。例えば発電プラント２０は、機械製造プラントなど発電プラント以外のプラントであってもよい。また、発電プラント２０が発電プラントである場合、火力発電以外の発電プラントであってもよいし、ガス以外の燃料を用いる火力発電プラントであってもよい。発電プラント２０がガス燃料の火力発電プラントである場合、ガスタービン単体の発電プラントであってもよいし、コンバインドサイクル発電プラントであってもよい。
発電プラント２０は、図１のプラント１０の例に該当する。
【００３１】
制御対象２１は、発電プラント２０における制御対象である。以下では、制御対象２１がガスタービン発電ユニットである場合を例に説明するが、上記のように発電プラント２０における制御対象はこれに限定されない。
制御対象２１は、図１の制御対象１１の例に該当する。
【００３２】
図３は、制御対象２１の構成を示す概略構成図である。図３に示すように、制御対象２１は、ガスタービン１１０と、ガスタービン１１０の駆動で発電する発電機１９０とを備えている。
ガスタービン１１０は、外気を圧縮して圧縮空気を生成する圧縮機１２０と、圧縮機１２０からの圧縮空気中で燃料Ｆを燃焼させて高温の燃焼ガスを生成する燃焼器１３０と、燃焼器１３０からの燃焼ガスにより駆動されるタービン１４０と、ガスタービン１１０を構成する部品を冷却する冷却系統１５０と、を備えている。
【００３３】
圧縮機１２０は、軸線Ａｒを中心として回転する圧縮機ロータ１２１と、圧縮機ロータ１２１を覆う圧縮機ケーシング１２４と、複数の静翼で構成される静翼列１２５と、圧縮機ケーシング１２４の吸込み口に設けられているＩＧＶ（Inlet Guide Vane）１２６と、を有する。
【００３４】
圧縮機ロータ１２１は、軸線Ａｒを中心として軸線方向に延びるロータ軸１２２と、このロータ軸１２２に取り付けられている複数の動翼で構成される動翼列１２３と、を有する。
ＩＧＶ１２６は、複数のガイドベーン１２７と、複数のガイドベーン１２７を駆動する駆動器１２８とを有する。このＩＧＶ１２６は、圧縮機ケーシング１２４内に吸い込まれる空気の流量を調節する。
【００３５】
タービン１４０は、燃焼器１３０からの燃焼ガスにより軸線Ａｒを中心として回転するタービンロータ１４１と、タービンロータ１４１を覆うタービンケーシング１４４と、複数の静翼で構成される静翼列１４５と、を有する。
タービンロータ１４１は、軸線Ａｒを中心として軸線方向に延びるロータ軸１４２と、このロータ軸１４２に取り付けられている複数の動翼で構成される動翼列１４３と、を有する。
【００３６】
圧縮機ロータ１２１とタービンロータ１４１とは、同一軸線Ａｒ上に位置し、互いに接続されてガスタービンロータを成す。このガスタービンロータには、発電機１９０のロータ１９１が接続されている。燃焼器１３０からの燃焼ガスでタービンロータ１４１が回転することで、圧縮機ロータ１２１及び発電機のロータ１９１が回転する。圧縮機ロータ１２１が回転することで、圧縮機１２０は空気を圧縮して圧縮空気を燃焼器１３０へ供給する。また、発電機１９０は、発電機のロータ１９１が回転することで発電する。
【００３７】
ガスタービン１１０は、さらに、圧縮機ケーシング１２４とタービンケーシング１４４との間に配置されている中間ケーシング１３３を備えている。燃焼器１３０は、この中間ケーシング１３３に取り付けられている。圧縮機ケーシング１２４と中間ケーシング１３３とタービンケーシング１４４とは、互いに接続されてガスタービンケーシングを成す。
燃焼器１３０には、燃料供給源からの燃料Ｆを燃焼器１３０に供給する燃料ライン１３１が接続されている。この燃料ライン１３１には、燃焼器１３０に流入する燃料Ｆの流量を調節する燃料調節弁１３２が設けられている。
【００３８】
冷却系統１５０は、圧縮機１２０が圧縮した空気をタービンロータ１４１に送る高圧抽気ライン１５１と、高圧抽気ライン１５１を通る空気を冷却する冷却器１５２と、圧縮機１２０からの抽気をタービン１４０の静翼列１４５に送る低圧抽気ライン１５３と、低圧抽気ライン１５３を流れる空気の流量を制限するオリフィス１５４と、高圧抽気ライン１５１と低圧抽気ライン１５３とを接続する接続ライン１５５と、接続ライン１５５に設けられている第一流量調節弁１５６と、接続ライン１５５と低圧抽気ライン１５３とを接続するバイパスライン１５７と、バイパスライン１５７に設けられている第二流量調節弁１５８と、を備えている。
【００３９】
かかる構成にて、冷却系統１５０は、高圧抽気ライン１５１で抽気した圧縮空気を冷却器１５２で冷却し、冷却された圧縮空気をタービンロータ１４１に送ることでタービンロータ１４１を冷却する。
また、冷却系統１５０は、低圧抽気ライン１５３で抽気した圧縮空気をオリフィス１５４で膨張させて温度低下させる。冷却系統１５０は、この温度低下した空気をタービン１４０の静翼列１４５に送ることで静翼列１４５を冷却する。この空気は、静翼列１４５を経由して、静翼列１４５とタービンロータ１４１との間の空間であるディスクキャビティ（Disk Cavity）に送られる。
バイパスライン１５７に設けられている第二流量調節弁１５８を開くことで、オリフィス１５４を流れる空気流量を低減させて、タービン１４０へ流入する空気の温度の低減を小さくすることができる。この第二流量調節弁１５８の開度を調節することで、ディスクキャビテイ温度（Disk Cavity Temperature；ＤＣＴ）を調節することができる。
【００４０】
制御装置２２は、制御対象２１を制御して発電を行わせる。制御装置２２は、例えばＥＷＳ（Engineering Workstation）又はＰＬＣ（Programmable Logic Controller）などのコンピュータを用いて構成される。
また、制御装置２２は、制御対象２１の運転に関する各種情報をリモートサーバ装置２４へ送信する。例えば、制御装置２２は、制御対象２１を制御するために大気温度など制御対象２１の動作環境の測定データを取得しており、取得したデータをリモートサーバ装置２４へ送信する。また、制御装置２２は、制御対象２１を制御するためにタービン回転数など制御対象２１の状態を示すデータを取得しており、取得したデータをリモートサーバ装置２４へ送信する。また、制御装置２２は、制御対象２１の運転モード情報など、制御装置２２が制御対象２１を制御している状態を示すデータをリモートサーバ装置２４へ送信する。
【００４１】
図４は、制御装置２２の機能構成を示す概略ブロック図である。図４に示すように、制御装置２２は、第一通信部２１０と、第一記憶部２８０と、第一制御部２９０とを備える。第一制御部２９０は、第一制御実行部２９１を備える。
第一通信部２１０は、他の機器と通信を行う。特に第一通信部２１０は、制御対象２１に設けられたセンサ等が送信する、制御対象２１の動作環境の測定データ及び制御対象２１の状態を示すデータを受信する。また、第一通信部２１０は、制御対象２１を制御するための制御信号を制御対象２１へ送信する。また、第一通信部２１０は、制御対象２１の運転に関する各種情報をリモートサーバ装置２４へ送信する。
【００４２】
第一記憶部２８０は、各種情報を記憶する。第一記憶部２８０は、制御装置２２が備える記憶デバイスを用いて構成される。
第一制御部２９０は、制御装置２２の各部を制御して各種機能を実行する。第一制御部２９０は、制御装置２２が備えるＣＰＵ（Central Processing Unit、中央処理装置）が第一記憶部２８０からプログラムを読み出して実行することで構成される。
【００４３】
第一制御実行部２９１は、制御対象２１を制御する。具体的には、第一制御実行部２９１は、制御対象２１を制御するための制御プログラムを実行する。制御プログラムの実行により、第一制御実行部２９１は、第一通信部２１０に制御信号を制御対象２１へ送信させる。
第一制御実行部２９１は、図１の第一制御実行部１２の例に該当する。
【００４４】
ゲートウェイ装置２３は、制御装置２２がリモートサーバ装置本体２５と通信を行うためのインタフェースとして機能する。また、ゲートウェイ装置２３は、例えばファイアウォール（Firewall）として機能するなど、制御装置２２に対して通信のセキュリティを提供する。
【００４５】
リモートサーバ装置２４は、制御対象２１に対する新たな制御を生成するための装置である。
ここでの新たな制御は、制御装置２２が制御対象２１に発電を行わせるための制御を少なくとも部分的に変更するものであり、制御プログラムとして構成される。新たな制御は、制御装置２２が行う元の制御と、制御ロジック及びパラメータ値のうち何れか一方が異なっていてもよいし、両方が異なっていてもよい。
【００４６】
リモートサーバ装置２４が、新たな制御を自動的に生成するようにしてもよいし、リモートサーバ装置２４のユーザが新たな制御を生成するための環境を提供するようにしてもよい。リモートサーバ装置２４は、新たな制御を生成するための情報として、制御対象２１の運転に関する各種情報を制御装置２２から受信する。
リモートサーバ装置本体２５は、制御対象２１に対する新たな制御を生成する機能を実現するための演算等の処理を実行する。リモートサーバ装置本体２５は、例えばワークステーションなどのコンピュータを用いて構成される。
【００４７】
図５は、リモートサーバ装置本体２５の機能構成を示す概略ブロック図である。図５に示すように、リモートサーバ装置本体２５は、第二通信部３１０と、第二記憶部３８０と、第二制御部３９０とを備える。第二記憶部３８０は、リモート側運転パラメータ履歴記憶部３８１と、リモート側運転結果データ履歴記憶部３８２とを備える。第二制御部３９０は、アプリケーション生成部３９１と、アプリケーションインストール部３９２とを備える。
【００４８】
第二通信部３１０は、他の機器と通信を行う。特に第二通信部３１０は、制御対象２１の運転に関する各種情報を第一通信部２１０から受信する。また、第二通信部３１０は、リモート端末装置２６と通信を行う。第二通信部３１０は、リモート端末装置２６が受けたユーザ操作を示す信号をリモート端末装置２６から受信し、リモート端末装置２６に対して画像の表示及び音声の出力を指示する信号をリモート端末装置２６へ送信する。
【００４９】
第二記憶部３８０は、各種情報を記憶する。第二記憶部３８０は、リモートサーバ装置本体２５が備える記憶デバイスを用いて構成される。
リモート側運転パラメータ履歴記憶部３８１は、運転パラメータの履歴を記憶する。ここでいう運転パラメータは、制御対象２１の運転に関する各種情報である。運転パラメータの履歴は、運転パラメータの時系列データである。運転パラメータには、例えば大気圧など発電プラント２０の運転環境に関する情報、吸気流量など発電プラント２０の制御量に関する情報、及び、弁開度など発電プラント２０の状態に関する情報が含まれていてもよい。
リモート側運転結果データ履歴記憶部３８２は、運転結果データ履歴を記憶する。ここでいう運転結果データ履歴は、制御装置２２が制御対象２１を制御した結果を示すデータの時系列データである。ここで、運転結果データ履歴が示す結果としていろいろなものを用いることができる。例えば、運転結果データ履歴が発電量を示すようにしてもよいし、発電効率を示すようにしてもよい。あるいは、運転結果データ履歴がＮｏＸ排出量を示すようにしてもよい。あるいは、運転結果データ履歴が複数の項目のデータを示すようにしてもよい。
【００５０】
第二制御部３９０は、リモートサーバ装置本体２５の各部を制御して各種機能を実行する。第一制御部２９０は、制御装置２２が備えるＣＰＵが第一記憶部２８０からプログラムを読み出して実行することで構成される。
アプリケーション生成部３９１は、制御対象２１に対する新たな制御を行うための制御プログラムを生成する。以下では、この制御プログラムをアプリケーションプログラム、或いは単にアプリケーションとも称する。
【００５１】
アプリケーション生成部３９１が、アプリケーションプログラムを自動的に生成するようにしてもよいし、リモートサーバ装置２４のユーザがアプリケーションプログラムを生成するための環境を提供するようにしてもよい。アプリケーション生成部３９１がアプリケーションプログラムを自動的に生成する場合、運転パラメータの履歴及び運転結果データ履歴に基づいてアプリケーションプログラムを生成するようにしてもよい。例えば、アプリケーション生成部３９１が、運転結果データ履歴から所定の条件以上に評価の高い履歴を複数抽出し、この運転結果を得られるプラント状態に共通する特徴を運転パラメータの履歴から読み出して、読み出した特徴を実現するアプリケーションプログラムを生成するようにしてもよい。
【００５２】
アプリケーションインストール部３９２は、アプリケーションプログラムを制御切替装置２７にインストールする。制御切替装置２７は、インストールされたアプリケーションプログラムを実行することで、制御装置２２による制御とは異なる制御を制御対象２１に対して行うことができる。
アプリケーションインストール部３９２が、自動的にアプリケーションプログラムを制御切替装置２７にインストールするようにしてもよい。あるいは、アプリケーションインストール部３９２が、ユーザ操作に従ってアプリケーションプログラムを制御切替装置２７にインストールするようにしてもよい。すなわち、アプリケーションインストール部３９２が、手動又は半自動でアプリケーションプログラムを制御切替装置２７にインストールするようにしてもよい。
【００５３】
リモート端末装置２６は、リモートサーバ装置２４におけるヒューマンインタフェースとして機能する。リモート端末装置２６は、例えばパソコン（Personal Computer；ＰＣ）等のコンピュータを用いて構成される。
図６は、リモート端末装置２６の機能構成を示す概略ブロック図である。図６に示すように、リモート端末装置２６は、第三通信部４１０と、リモート側表示部４２０と、リモート側操作入力部４３０と、第三記憶部４８０と、第三制御部４９０とを備える。
【００５４】
第三通信部４１０は、他の機器と通信を行う。特に第三通信部４１０は、リモートサーバ装置本体２５の第二通信部３１０と通信を行う。第三通信部４１０は、画像の表示及び音声の出力を指示する信号を第二通信部３１０から受信する。また、第三通信部４１０は、リモート端末装置２６が受けたユーザ操作を示す信号を第二通信部３１０へ送信する。
リモート側表示部４２０は、例えば液晶パネル又はＬＥＤ（Light Emitting Diode、発光ダイオード）パネル等の表示画面を備え、各種画像を表示する。例えば、ユーザがアプリケーションプログラムを生成する場合、リモート側表示部４２０が、プログラミング用のエディタを表示するようにしてもよい。
【００５５】
リモート側操作入力部４３０は、例えばキーボード及びマウス等の入力デバイスを備え、ユーザ操作を受ける。例えば、ユーザがアプリケーションプログラムを生成する場合、リモート側操作入力部４３０が、プログラミング用のエディタに対するユーザ操作を受けるようにしてもよい。また、リモートサーバ装置本体２５のアプリケーションインストール部３９２が、ユーザ操作に従ってアプリケーションプログラムを制御切替装置２７にインストールする場合、リモート側操作入力部４３０が、アプリケーションプログラムのインストールを指示するユーザ操作を受けるようにしてもよい。
【００５６】
第三記憶部４８０は、各種情報を記憶する。第三記憶部４８０は、リモート端末装置２６が備える記憶デバイスを用いて構成される。
第三制御部４９０は、リモート端末装置２６の各部を制御して各種機能を実行する。特に、第三制御部４９０は、第三通信部４１０がリモートサーバ装置本体２５から受信する、画像表示を指示する信号に基づいて、リモート側表示部４２０を制御して指示された画像を表示させる。また、第三制御部４９０は、リモート側操作入力部４３０が受けたユーザ操作を示す信号を、第三通信部４１０を制御してリモートサーバ装置本体２５へ送信させる。
第三制御部４９０は、リモート側操作入力部４３０が備えるＣＰＵが第三記憶部４８０からプログラムを読み出して実行することで構成される。
【００５７】
制御切替装置２７は、制御装置２２による制御対象２１の制御に対し、アプリケーションプログラムを実行することによる制御の変更の有無を切り替える。これにより、制御切替装置２７は、制御装置２２による制御対象２１の制御の少なくとも一部について、アプリケーションプログラムを実行することによる制御との切替を行う。
制御切替装置本体２８は、かかる制御の切替のための演算等の処理を実行する。制御切替装置本体２８は、例えばＥＷＳなどのコンピュータを用いて構成される。
【００５８】
図７は、制御切替装置本体２８の機能構成を示す概略ブロック図である。図７に示すように、制御切替装置本体２８は、第四通信部５１０と、第四記憶部５８０と、第四制御部５９０とを備える。第四記憶部５８０は、切替側運転パラメータ履歴記憶部５８１と、切替側運転結果データ履歴記憶部５８２とを備える。第四制御部５９０は、第二制御実行部５９１と、制御切替部５９２と、シミュレーション実行部５９３と、課金算出部５９４とを備える。
第四通信部５１０は、他の機器と通信を行う。特に第四通信部５１０は、アプリケーションプログラム、及び、アプリケーションプログラムのインストールを指示する信号を、リモートサーバ装置本体２５の第二通信部３１０から受信する。
【００５９】
また、第四通信部５１０は、運転パラメータ取得部の例に該当し、制御対象２１の制御に用いられる運転パラメータを制御装置２２から取得する。制御対象２１の制御に用いられる運転パラメータは、第一通信部２１０が送信する、制御対象２１の運転に関する各種情報に含まれる。運転パラメータは、制御切替装置本体２８がアプリケーションプログラムの実行による制御対象２１の制御のシミュレーションを行うために用いられる。
また、第四通信部５１０は、第一運転結果情報を取得する。ここでいう第一運転結果情報は、第一制御実行部２９１が制御対象２１を制御した結果を示す情報である。第一運転結果情報は、第一通信部２１０が送信する、制御対象２１の運転に関する各種情報に含まれる。
【００６０】
また、第四通信部５１０は、利用情報取得部の例に該当し、利用情報を取得する。ここでいう利用情報は、前記第二制御実行部による前記制御対象の制御の程度を示す情報である。すなわち、利用情報は、制御対象２１の運用者が第二制御実行部５９１による制御を利用した程度を示す情報である。例えば、利用情報は、制御切替装置本体２８の第二制御実行部５９１が制御対象２１を制御した時間を示す利用時間情報であっても、第二制御実行部の演算量又は演算結果のデータ送信量あってもよい。あるいは、利用情報は、第二制御実行部５９１が制御対象２１を制御することによって得られた効果を定量的に示す利用効果情報であってもよい。上述したように、ここでいう効果は金銭的な効果、すなわち金銭的な利益であってもよい。
利用情報は、第二制御実行部５９１による制御の利用に対する課金を算出するために用いられる。
【００６１】
第四記憶部５８０は、各種情報を記憶する。第四記憶部５８０は、制御切替装置本体２８が備える記憶デバイスを用いて構成される。
切替側運転パラメータ履歴記憶部５８１は、運転パラメータの履歴を記憶する。上記のように運転パラメータは、制御対象２１の制御に用いられるデータである。
切替側運転結果データ履歴記憶部５８２は、第一運転履歴情報を記憶する。ここでいう第一運転履歴情報は、第一制御実行部２９１が、切替側運転パラメータ履歴記憶部５８１が記憶している運転パラメータの履歴を用いて制御対象２１を制御した結果を示す情報である。具体的には、第一運転履歴情報は、第四通信部５１０が受信した第一運転結果情報を、切替側運転パラメータ履歴記憶部５８１が記憶している運転パラメータの期間について時系列に纏めた履歴情報である。
切替側運転パラメータ履歴記憶部５８１及び切替側運転結果データ履歴記憶部５８２を備える第四記憶部５８０は、運転パラメータの履歴、及び、第一運転履歴情報を記憶する記憶部の例に該当する。
【００６２】
第四制御部５９０は、制御切替装置本体２８の各部を制御して各種処理を実行する。第四制御部５９０は、制御切替装置本体２８が備えるＣＰＵが第四記憶部５８０からプログラムを読み出して実行することで構成される。
第二制御実行部５９１は、第一制御実行部２９１による制御とは異なる制御を制御対象２１に対して行う。第二制御実行部５９１は、第一実施形態の第二制御実行部１３の例に該当する。
【００６３】
第一制御実行部２９１が行う制御と第二制御実行部５９１が行う制御との違いは、特定の違いに限定されない。例えば、第一制御実行部２９１が行う制御と第二制御実行部５９１が行う制御とで、制御ロジック及びパラメータ値のうち何れか一方が異なっていてもよいし、両方が異なっていてもよい。
また、第二制御実行部５９１が制御対象２１を制御する場合、第二制御実行部５９１単独で（第一制御実行部２９１から独立して）制御を行うようにしてもよいし、第二制御実行部５９１が第一制御実行部２９１と協働して制御を行うようにしてもよい。例えば、第二制御実行部５９１が、第一制御実行部２９１からの出力値に対して補正を行うようにしてもよい。あるいは、第二制御実行部５９１が、第一制御実行部２９１への入力値に対して補正を行うようにしてもよい。
なお、ここでのアプリケーションプログラムは、第二制御実行部５９１の機能を実現するためのプログラムである。従って、アプリケーションプログラムの使用又は不使用は、第二制御実行部５９１の使用又は不使用と一致する。
【００６４】
制御切替部５９２は、制御切替端末装置２９が受けるユーザ操作に基づいて、第一制御実行部２９１による制御と第二制御実行部５９１による制御との運転制御モードを切り替える。制御切替部５９２は、第一実施形態の制御切替部１５の例に該当する。
第二制御実行部５９１の使用を指示するユーザ操作が行われ、第二制御実行部５９１に制御対象２１を制御させるモードである第二制御モードに遷移した場合、制御切替部５９２は、第二制御実行部５９１に制御対象２１を制御させる。この場合、上記のように、第一制御実行部２９１と第二制御実行部５９１とに協働で制御対象２１を制御させるようにしてもよいし、第一制御実行部２９１による制御を停止させて第二制御実行部５９１に制御対象２１を制御させるようにしてもよい。
一方、第二制御実行部５９１の不使用を指示するユーザ操作が行われ、第一制御実行部２９１に制御対象２１を制御させるモードである第一制御モードに遷移した場合、制御切替部５９２は、第二制御実行部５９１による制御を停止させて第一制御実行部２９１に制御対象２１を制御させる。
【００６５】
シミュレーション実行部５９３は、第二制御実行部５９１が制御対象２１を制御する運転制御モードが第二制御モードに遷移された場合のシミュレーションを行う。第一制御モードで第一制御実行部２９１が制御対象２１を制御しているときに、シミュレーション実行部５９３が第二制御モードでの第二制御実行部５９１による制御対象２１の制御のシミュレーションを行うことで、第一制御モードでの第一制御実行部２９１による制御の結果と、第二制御モードでの第二制御実行部５９１による制御の結果とを合わせてユーザに提示できる。提示を受けたユーザは、第一制御モードでの第一制御実行部２９１による制御の結果と第二制御モードでの第二制御実行部５９１による制御の結果とを比較して、第二制御モードでの第二制御実行部５９１による制御を導入するメリットを検討し、第二制御モードでの第二制御実行部５９１による制御を導入するか否かを決定することができる。
【００６６】
例えば、第一制御モードで第一制御実行部２９１が制御対象２１を制御しているときに、シミュレーション実行部５９３が、制御対象２１の現在の環境情報及び制御対象２１の現在の状態情報に基づいて、第二制御モードでの第二制御実行部５９１による制御のシミュレーションをリアルタイムで行うようにしてもよい。これにより、第一制御モードでの第一制御実行部２９１による制御の結果と、第二制御モードでの第二制御実行部５９１による制御のシミュレーションの結果とを合わせてユーザに提示することができる。
【００６７】
また、シミュレーション実行部５９３が、運転パラメータの履歴を用いて第二制御モードで第二制御実行部５９１が制御対象を制御する場合のシミュレーションを行って、シミュレーション結果を示す第二運転履歴情報を算出するようにしてもよい。これにより、運転パラメータの履歴の期間について、第一制御モードで第一制御実行部２９１が制御対象２１を制御した結果を示す第一運転履歴情報と、第二制御モードで第二制御実行部５９１が制御対象２１を制御した場合のシミュレーション結果を示す第二運転履歴情報とをユーザに提示することができる。
【００６８】
課金算出部５９４は、利用情報に基づいて、第二制御実行部５９１の利用に対する課金を計算する。上記のように、ここでの利用情報は、第二制御実行部５９１による制御対象２１の制御の程度を示す情報である。
これにより、第二制御実行部５９１の利用に対して従量制の課金を行うことが可能になる。この点で、第二制御実行部５９１を装置として販売する形態に限らず、他の販売形態ないし課金形態の選択肢を得られる。
【００６９】
制御切替端末装置２９は、制御切替装置２７におけるヒューマンインタフェースとして機能する。制御切替端末装置２９は、例えばＥＷＳ等のコンピュータを用いて構成される。
図８は、制御切替端末装置２９の機能構成を示す概略ブロック図である。図８に示すように、制御切替端末装置２９は、第五通信部６１０と、切替側表示部６２０と、切替側操作入力部６３０と、第五記憶部６８０と、第五制御部６９０とを備える。
第五通信部６１０は、他の機器と通信を行う。特に第五通信部６１０は、制御切替装置本体２８の第四通信部５１０と通信を行う。第五通信部６１０は、画像の表示及び音声の出力を指示する信号を第四通信部５１０から受信する。また、第五通信部６１０は、制御切替端末装置２９が受けたユーザ操作を示す信号を第四通信部５１０へ送信する。
【００７０】
切替側表示部６２０は、例えば液晶パネル又はＬＥＤパネル等の表示画面を備え、各種画像を表示する。
特に切替側表示部６２０は、制御切替部５９２が第二制御実行部５９１に制御対象２１を制御させた場合の効果を表示する。切替側表示部６２０が、制御切替部５９２が第二制御実行部５９１に制御対象２１を制御させた場合の効果を、第二制御実行部５９１による制御を停止させて第一制御実行部２９１に制御対象２１を制御させた場合の効果との比較にて表示するようにしてもよい。
【００７１】
切替側表示部６２０が、第一制御実行部２９１、第二制御実行部５９１それぞれが実際に制御対象２１の制御を行ったときの結果を表示するようにしてもよい。具体的には、切替側表示部６２０は、第一制御実行部２９１が制御対象２１を制御したときの実測データに基づく運転結果情報と、第二制御実行部５９１が制御対象２１を制御したときの実測データに基づく運転結果情報とを表示する。
【００７２】
切替側表示部６２０が、第一制御実行部２９１による制御の結果と第二制御実行部５９１による制御のシミュレーション結果とをリアルタイムで表示するようにしてもよい。具体的には、切替側表示部６２０が、第一制御実行部２９１が運転パラメータを用いて制御対象を制御した場合の結果を示す第一運転結果情報と、第二制御実行部５９１が運転パラメータを用いて制御対象を制御した場合の結果を示す第二運転結果情報とを表示するようにしてもよい。
【００７３】
あるいは、切替側表示部６２０が、第一制御実行部２９１による制御の結果の履歴を示す第一運転履歴情報と、第二制御実行部５９１による制御の結果の履歴を示す第二運転履歴情報とを表示するようにしてもよい。この場合、第二運転履歴情報として、シミュレーション実行部５９３が運転パラメータの履歴を用いてシミュレーションを行ったシミュレーション結果の情報を用いることができる。
切替側表示部６２０は、表示部の例に該当する。
【００７４】
切替側操作入力部６３０は、例えばキーボード及びマウス等の入力デバイスを備え、ユーザ操作を受ける。特に、切替側操作入力部６３０は操作入力部の例に該当し、第二制御実行部５９１の使用又は不使用の切替操作を受ける。
第五記憶部６８０は、各種情報を記憶する。第五記憶部６８０は、制御切替端末装置２９が備える記憶デバイスを用いて構成される。
【００７５】
第五制御部６９０は、制御切替端末装置２９の各部を制御して各種機能を実行する。特に、第五制御部６９０は、第五通信部６１０が制御切替装置本体２８から受信する、画像表示を指示する信号に基づいて、切替側表示部６２０を制御して指示された画像を表示させる。また、第五制御部６９０は、切替側操作入力部６３０が受けたユーザ操作を示す信号を、第五通信部６１０を制御して制御切替装置本体２８へ送信させる。
【００７６】
通信ネットワーク９１は、通信ネットワーク９１自らに通信接続している各機器間の通信を仲介する。特に、通信ネットワーク９１は、制御装置２２とリモートサーバ装置本体２５との通信、及び、制御切替装置本体２８とリモートサーバ装置本体２５との通信を仲介する。
通信ネットワーク９１は、特定の種類の通信ネットワークに限定されない。例えば、通信ネットワーク９１は、インターネット（Internet）であってもよいし、発電プラント２０専用の通信ネットワークとして構成されていてもよい。
【００７７】
また、制御装置２２、リモートサーバ装置本体２５及び制御切替装置本体２８間の通信経路の形態は、図２に示す、制御装置２２がゲートウェイ装置２３を介して通信ネットワーク９１に接続し、リモートサーバ装置本体２５、制御切替装置本体２８のそれぞれが直接通信ネットワーク９１に接続する形態に限定されない。例えば、制御装置２２、制御切替装置本体２８のいずれもゲートウェイ装置２３を介して通信ネットワーク９１に通信接続するようにしてもよい。
【００７８】
図２の例では、制御装置２２がゲートウェイ装置２３を介して通信ネットワーク９１と通信接続することで、制御装置２２の通信について特にセキュリティを高めた構成例を示している。制御装置２２は、制御切替装置２７の協働を必要とせずに制御装置２２単独で制御対象２１を制御することができる。従って、制御切替装置２７に何らかの不具合が生じた場合でも、制御装置２２が正常に動作していれば、制御対象２１の運転を継続することができる。
なお、ゲートウェイ装置２３が、制御装置２２から通信ネットワーク９１への通信信号を通過させるが、通信ネットワーク９１から制御装置２２への通信信号は通過させない（無視する）ようにしてもよい。これにより、制御装置２２に対する攻撃など、制御装置２２に不具合が生じる可能性をより低減させることができる。
【００７９】
次に、第二制御実行部５９１が弁開度を変更する場合の例について説明する。
制御量変更対象が弁開度である場合、アプリケーションプログラム不使用時は、第一制御実行部２９１が、例えば大気温度及び発電機出力に基づいて弁開度を決定する。
一方、アプリケーションプログラム使用時は、例えば大気温度及び発電機出力に加えて、制御対象２１の各部における温度、振動（例えば燃焼振動）等の測定値に基づいて、第一制御実行部２９１による制御の場合の弁開度からの変更可否を判定する。
変更可能と判定した場合、第二制御実行部５９１が弁開度の変更量を算出し、第四通信部５１０を介して制御装置２２へ送信する。制御装置２２では、第二制御実行部５９１が算出した変更量に基づいて第一制御実行部２９１が、第一制御実行部２９１自らの制御における弁開度から変更する。
【００８０】
このように弁開度を変更することで制御対象２１の性能及び運用性の改善を図る。
なお、弁開度変更対象の弁として、例えばＤＣＴ制御用の流量調節弁（図３の例の場合、第二流量調節弁１５８）を挙げることができるが、これに限定されない。また、開度変更対象の装置は弁に限定されない。例えば、第二制御実行部５９１が、ＩＧＶ（図３の例の場合、ＩＧＶ１２６）の開度を変更するようにしてもよい。
【００８１】
改善効果の表示について、シミュレーション実行部５９３が、アプリケーションプログラム不使用の状態で、アプリケーションプログラム使用時に予想される弁開度の変更量から理論上の性能改善量を算出するようにしてもよい。そして、制御切替端末装置２９の切替側表示部６２０が、シミュレーション実行部５９３が算出した性能改善量を算出するようにしてもよい。
【００８２】
図９は、第二制御実行部５９１による弁開度の変更例を示すグラフである。図９のグラフの横軸はプラント出力を示す。縦軸は、弁開度を示す。
線Ｌ１１１は、第一制御実行部２９１がこの弁を制御する場合の、プラント出力と弁開度との関係の例を示す図である。図９の例では、第一制御実行部２９１は、プラント出力に応じて弁開度を決定する。
【００８３】
点Ｐ１１１は、第一制御実行部２９１が決定する弁開度の例を示す点である。点Ｐ１１２は、第二制御実行部５９１が決定する弁開度の例を示す点である。同じプラント出力に対し、第二制御実行部５９１は、第一制御実行部２９１の場合よりも弁開度を小さく設定している。
第二制御実行部５９１が、第一制御実行部２９１の決定する弁開度に対する補正値を算出するようにしてもよいし、第一制御実行部２９１から独立して弁開度を算出するようにしてもよい。
【００８４】
切替側表示部６２０が、第二制御実行部５９１が制御対象２１を制御する場合の性能改善量の予測値を示すようにしてもよい。
図１０は、切替側表示部６２０が、第二制御実行部５９１が制御対象２１を制御する場合の性能改善量の予測値を表示する場合の、発電プラント２０の動作例を示す図である。
【００８５】
（ステップＳ１０１）
第一制御実行部２９１が制御対象２１を制御しているときに、制御切替装置本体２８の第四通信部５１０が、運転パラメータと実際の制御量のデータとを受信し、第四記憶部５８０がこれらのデータを記憶しておく。例えば、制御量変更対象が弁開度である場合、第四記憶部５８０は、実際の制御量のデータとして弁開度のデータを記憶する。
【００８６】
（ステップＳ１０２）
シミュレーション実行部５９３が、アプリケーションプログラムを利用した場合の制御量を運転パラメータに基づいて算出する。例えば、制御量変更対象が弁開度である場合、シミュレーション実行部５９３は、アプリケーションプログラムを利用した場合の弁開度を算出する。
【００８７】
（ステップＳ１０３）
シミュレーション実行部５９３は、ステップＳ１０２で算出した制御量の、第一制御実行部２９１の制御による制御量（実際の制御量）からの変更量を算出する。例えば、制御量変更対象が弁開度である場合、シミュレーション実行部５９３は、ステップＳ１０２で算出した弁開度の、第四記憶部５８０が記憶しているデータに示される弁開度（実際の弁開度）からの変更量を算出する。
【００８８】
（ステップＳ１０４）
シミュレーション実行部５９３は、各時刻における理論上の性能改善量を算出し、所定の期間について、性能改善量の累積値を算出する。性能改善量として、例えば、発電機出力［ＭＷ（メガワット）］、又は、効率［％］を用いるようにしてもよいが、これらに限定されない。
【００８９】
（ステップＳ１０５）
切替側表示部６２０は、シミュレーション実行部５９３が算出した性能改善量の累積値を表示する。
ステップＳ１０５の後、図１０の処理を終了する。
【００９０】
図１１は、発電プラント２０の出力の例を示すグラフである。図１１のグラフの横軸は時刻を示す。縦軸はプラント出力を示す。
線Ｌ１２１は、時刻毎のプラント出力の例を示す。
【００９１】
図１２は、第一制御実行部２９１が制御を行う場合の弁開度の例、及び、第二制御実行部５９１が制御を行う場合の弁開度の例を示すグラフである。図１２のグラフの横軸は、時刻を示す。縦軸は、弁開度を示す。
線Ｌ１３１は、第一制御実行部２９１が制御を行う場合の、時刻毎の弁開度の例を示す。線Ｌ１３２は、第二制御実行部５９１が制御を行う場合の、時刻毎の弁開度の例を示す。図１２では、図１１に示されるプラント出力に対して、第一制御実行部２９１、第二制御実行部５９１の各々が決定する弁開度の例を示している。
【００９２】
図１３は、第二制御実行部５９１を利用することによる効果の例を示す図である。図１３の横軸は時刻を示す。縦軸は発電量増加分の累積値を示す。
線Ｌ１４１は、第二制御実行部５９１を利用しない場合の発電量に対する、第二制御実行部５９１を利用する場合の発電量の増加分の累積値を示している。
例えば、制御切替端末装置２９の切替側表示部６２０が図１３のグラフを表示することで、ユーザは、第二制御実行部５９１を利用することによる効果を参照して、第二制御実行部５９１を利用するか否かを決定することができる。
【００９３】
また、切替側表示部６２０が、実際の改善効果を表示するようにしてもよい。例えば、ユーザが切替側操作入力部６３０からのユーザ操作にて、アプリケーションプログラムの使用又は不使用（第二制御実行部５９１の使用又は不使用）を切り替える。切替側表示部６２０は、アプリケーションプログラム使用時の性能値と、アプリケーションプログラム不使用時の性能値とを表示する。性能値として、例えば、発電機出力［ＭＷ（メガワット）］、又は、効率［％］を用いるようにしてもよいが、これらに限定されない。
【００９４】
図１４は、第二制御実行部５９１を利用して弁開度を制御することによる、実際の改善効果の表示例を示すグラフである。図１４のグラフの横軸は時刻を示す。縦軸はプラント出力を示す。
線Ｌ１５１は、各時刻におけるプラント出力の例を示している。
図１４の例では、時刻Ｔ１１以前は、アプリケーションプログラムは使用されていない。一方、時刻Ｔ１１にてアプリケーションプログラムの使用と不使用との切替が行われ、時刻Ｔ１１以降は、アプリケーションプログラムが使用されている。
【００９５】
切替側表示部６２０が、アプリケーションプログラムが使用されていないとき、使用されているときそれぞれのプラント出力を表示することで、ユーザは、アプリケーションプログラムを使用することによる効果を、アプリケーションプログラムを使用しない場合と対比することができ、対比結果に基づいてアプリケーションプログラムを使用するか否かを決定することができる。
【００９６】
次に、第二制御実行部５９１がクーラーの制御を変更する場合の例について説明する。例えば、第二制御実行部５９１が、ガスタービンへの冷却枢機を冷却するクーラーの性能を最適化する制御を行うようにしてもよい。具体的には、第二制御実行部５９１は、冷却空気温度が許容範囲内で最も高い温度になるように制御する。これにより、プラント性能の改善を図ることができる。
【００９７】
アプリケーションプログラム不使用時は、ガスタービンへの冷却空気を冷却するクーラーの冷却能力は、大気温度及びプラントの冷却水などの冷媒側の温度により決まる。冷却空気温度が設計制限値内に入るようにクーラー能力を設計しておき、冷媒側温度による能力制御は行われないことが一般的である。この場合、冷媒側温度が低ければ必要以上に冷却空気が冷やされ、プラント性能の低下につながる。
【００９８】
これに対し、例えば冷媒の流量制御弁を設ける、又は、モータをインバータ化するなど、クーラーの能力を制御するようなハードの改造をあらかじめ実施しておく。
そして、アプリケーションプログラム使用時に、第二制御実行部５９１は、実際の運転データ上で冷却空気温度をモニタする。第二制御実行部５９１は、設計制限値の近くに設定されている制御用のトラッキングラインを目安にクーラーのフィードバック制御の演算を行う。例えば、第二制御実行部５９１は、弁の開度又はモータの回転数など、クーラーの能力制御に関する信号を、第四通信部５１０を介して制御装置２２へ送信する。
制御装置２２では、第一制御実行部２９１が、第二制御実行部５９１からの信号に基づいて弁の開度又はモータの回転数等を制御する。
これにより、冷却空気温度が上昇し、排熱量が低減することでプラント性能が改善される。
【００９９】
図１５は、第二制御実行部５９１による冷却空気温度の変更例を示すグラフである。図１５のグラフの横軸は大気温度を示す。縦軸は冷却空気温度を示す。図１５のでは、冷却系統（図３の例では、冷却系統１５０がタービン（図３の例では、タービン１４０）に供給する冷却空気の温度の例を示している。この冷却空気は、タービンを冷却するためにある程度以下の温度になっている必要がある。一方、この冷却空気の温度が低すぎると、ガスタービン１１０の効率が低下してしまう。このため、この冷却空気は、タービンを冷却可能な範囲の温度のうち、なるべく高い温度になっていることが好ましい。
【０１００】
図１５の線Ｌ２１１は、第一制御実行部２９１が冷却空気温度を制御する場合の、大気温度と冷却空気温度との関係の例を示す。この例では、第一制御実行部２９１は、大気温度に応じて冷却空気温度を決定する。
線Ｌ２１２は、冷却空気温度の設計上限値を示す。タービンを冷却するために、冷却空気温度が線Ｌ２１２に示される上限値以下であることが求められる。
【０１０１】
点Ｐ２１１は、第一制御実行部２９１が決定する冷却空気温度の例を示す点である。点Ｐ２１２は、第二制御実行部５９１が決定する冷却空気温度の例を示す点である。同じ大気温度に対し、第二制御実行部５９１は、冷却空気温度の上限値以下の範囲で第一制御実行部２９１の場合よりも冷却空気温度を高く設定している。これにより、ガスタービンの効率が高まることが期待される。
【０１０２】
第二制御実行部５９１が、第一制御実行部２９１の決定する制御量に対する補正値を算出するようにしてもよいし、第一制御実行部２９１から独立して制御量を算出するようにしてもよい。ここでの制御量としては、冷却空気の流量を制御する流量調節弁の開度、又は、空気を冷却するクーラーのモータ回転速度を用いることができるが、これらに限定されない。
【０１０３】
アプリケーションプログラム不使用時の改善効果の表示については、図１０を参照して説明したのと同様である。なお、変更対象がクーラーの制御である場合、ステップＳ１０３で、シミュレーション実行部５９３は、アプリケーションプログラムを使用したと仮定した場合の空気冷却温度の演算値の、第一制御実行部２９１の制御による冷却空気温度（実際の冷却空気温度）からの変化量を算出する。
【０１０４】
図１６は、大気温度の例を示すグラフである。図６１のグラフの横軸は時刻を示す。縦軸は大気温度を示す。
線Ｌ２２１は、時刻毎の大気温度の例を示す。
【０１０５】
図１７は、第一制御実行部２９１が制御を行う場合の冷却空気温度の例、及び、第二制御実行部５９１が制御を行う場合の冷却空気温度の例を示すグラフである。図１７のグラフの横軸は、時刻を示す。縦軸は、冷却空気温度を示す。
線Ｌ２３１は、第一制御実行部２９１が制御を行う場合の、時刻毎の冷却空気温度の例を示す。線Ｌ２３２は、第二制御実行部５９１が制御を行う場合の、時刻毎の冷却空気温度の例を示す。図１７では、図１６に示される大気温度に対して、第一制御実行部２９１、第二制御実行部５９１の各々が決定する冷却空気温度の例を示している。
【０１０６】
図１８は、第二制御実行部５９１を利用することによる効果の例を示す図である。図１８の横軸は時刻を示す。縦軸は燃料費削減分の累積値を示す。
線Ｌ２４１は、第二制御実行部５９１を利用しない場合の燃料消費量に対する、第二制御実行部５９１を利用する場合の燃料消費量の削減分の累積値を示している。
例えば、制御切替端末装置２９の切替側表示部６２０が図１８のグラフを表示することで、ユーザは、第二制御実行部５９１を利用することによる効果を参照して、第二制御実行部５９１を利用するか否かを決定することができる。
【０１０７】
また、弁開度の変更の例で説明したのと同様、切替側表示部６２０が、実際の改善効果を表示するようにしてもよい。
図１９は、第二制御実行部５９１を利用しない場合、第二制御実行部５９１を利用する場合それぞれのプラント出力の例を示すグラフである。図１９のグラフの横軸は大気温度を示す。縦軸は冷却空気温度を示す。
【０１０８】
領域Ａ２１１内に白丸で示す各点は、第二制御実行部５９１を利用しない場合の冷却空気温度の例を示す。領域Ａ２１２内に黒丸で示す各点は、第二制御実行部５９１を利用する場合の冷却空気温度の例を示す。線Ｌ２５１は、冷却空気温度の設計上限値を示す。
第二制御実行部５９１を用いた場合、冷却空気温度は、その設計上限値以下の範囲内でなるべく高めに設定されている。
【０１０９】
図２０は、第二制御実行部５９１を利用して冷却空気温度を制御することによる、実際の改善効果の表示例を示すグラフである。図２０のグラフの横軸は時刻を示す。縦軸はプラント効率［％］を示す。
線Ｌ２６１は、各時刻におけるプラント効率の例を示している。
図２０の例では、時刻Ｔ２１以前は、アプリケーションプログラムは使用されていない。一方、時刻Ｔ２１にてアプリケーションプログラムの使用と不使用との切替が行われ、時刻Ｔ２１以降は、アプリケーションプログラムが使用されている。
【０１１０】
切替側表示部６２０が、アプリケーションプログラムが使用されていないとき、使用されているときそれぞれのプラント効率を表示することで、ユーザは、アプリケーションプログラムを使用することによる効果を、アプリケーションプログラムを使用しない場合と対比することができ、対比結果に基づいてアプリケーションプログラムを使用するか否かを決定することができる。
【０１１１】
以上のように、制御切替端末装置２９の切替側操作入力部６３０は、第二制御実行部５９１の使用又は不使用の切替を指示するユーザ操作を受ける。第二制御実行部５９１の使用を指示する操作が行われた場合、制御切替部５９２は、第二制御実行部５９１に制御対象２１を制御させる。第二制御実行部５９１の不使用を指示する操作が行われた場合、制御切替部５９２は、第二制御実行部５９１による制御を停止させて第一制御実行部２９１に制御対象２１を制御させる。
【０１１２】
このように、制御切替部５９２がユーザ操作に応じて第二制御実行部５９１の使用又は不使用を切り替えることで、ユーザは、第二制御実行部５９１を試験的に使用することができる。従って、ユーザは、第二制御実行部５９１を試験的に使用してみて、これを導入するか否かを決定することができる。この点で、発電プラント２０によれば、第二制御実行部５９１が行う新たな制御の導入を比較的容易にすることができる。
【０１１３】
例えば、ユーザは、第二制御実行部５９１を使用してみて良好な結果を得られた場合、そのまま第二制御実行部５９１を定常的に使用し続けるようにしてもよいし、必要時のみ第二制御実行部５９１を使用するなどスポット的に使用するようにしてもよい。一方、ユーザは、第二制御実行部５９１を使用してみて良好な結果を得られなかった場合、第二制御実行部５９１の使用を抑制することができる。すなわち、ユーザは、第二制御実行部５９１による制御対象２１の制御を停止させることができる。
【０１１４】
また、第一制御実行部２９１と第二制御実行部５９１とが機能的に分離されていることで、第二制御実行部５９１の使用に対する課金の体系を柔軟に設定することができる。特に、第二制御実行部５９１の使用に対して従量制課金を行うことができる。
例えば、第二制御実行部５９１の提供者が、ユーザが第二制御実行部５９１を使用した時間に応じて課金するようにしてもよい。あるいは、第二制御実行部５９１の提供者が、ユーザが第二制御実行部５９１の使用によって得られた効果の定量的評価に基づいて課金するようにしてもよい。上述したように、ここでいう効果は金銭的な効果、すなわち金銭的な利益であってもよい。また、第二制御実行部の演算量又は演算結果のデータ送信量に基づいて課金してもよい。
また、第二制御実行部５９１の使用に対する課金を従量制課金とすることで、第二制御実行部５９１を装置として販売する場合と比較して、初期費用を安く抑えることができる。この点で、発電プラント２０によれば、第二制御実行部５９１が行う新たな制御の導入を比較的容易にすることができる。
【０１１５】
また、切替側表示部６２０は、制御切替部５９２が第二制御実行部５９１に制御対象２１を制御させた場合の効果を表示する。
これにより、ユーザは、第二制御実行部５９１を利用する場合の効果を参照して、第二制御実行部５９１を利用するか否かを決定することができる。
【０１１６】
また、切替側表示部６２０は、制御切替部５９２が第二制御実行部５９１に制御対象２１を制御させた場合の効果を、第二制御実行部５９１による制御を停止させて第一制御実行部２９１に制御対象２１を制御させた場合の効果との比較にて表示する。
これにより、ユーザは、第二制御実行部５９１を利用する場合の効果と、第二制御実行部５９１を利用しない場合の効果とを比較して、第二制御実行部５９１を利用するか否かを決定することができる。
【０１１７】
また、切替側表示部６２０は、第一制御実行部２９１が制御対象２１を制御したときの実測データに基づく運転結果情報と、第二制御実行部５９１が制御対象２１を制御したときの実測データに基づく運転結果情報とを表示する。
この場合、切替側表示部６２０が表示する運転結果情報は実測値に基づく情報なので、シミュレーション誤差を含んでいない。この点で、ユーザは、より正確な情報を参照して第二制御実行部５９１を使用するか否かを決定することができる。
【０１１８】
また、第四記憶部５８０は、制御対象２１の制御に用いられる運転パラメータの履歴、及び、第一制御実行部２９１が運転パラメータの履歴を用いて制御対象２１を制御した結果を示す第一運転履歴情報を記憶する。シミュレーション実行部５９３は、運転パラメータの履歴を用いて第二制御実行部５９１が制御対象２１を制御する場合のシミュレーションを行って、シミュレーション結果を示す第二運転履歴情報を算出する。切替側表示部６２０は、第一運転履歴情報と第二運転履歴情報とを表示する。
【０１１９】
このように、切替側表示部６２０が第二制御実行部５９１による制御のシミュレーション結果に基づいて運転結果を表示することで、実際には第二制御実行部５９１が制御対象２１の制御を行っていない場合でも運転結果を表示することができる。
また、切替側表示部６２０は、同一の運転パラメータが示す同一条件での、第一制御実行部２９１による制御の結果及び第二制御実行部５９１による制御の結果を表示することができる。ユーザは、同一条件での制御の結果を比較できる点で、より高精度に比較を行うことができる。
【０１２０】
なお、シミュレーション実行部５９３が、シミュレーションに用いるデータは過去のデータに限らない。切替側表示部６２０が、第一制御実行部２９１による制御の結果と第二制御実行部５９１による制御のシミュレーション結果とをリアルタイムで表示するようにしてもよい。具体的には、切替側表示部６２０が、第一制御実行部２９１が運転パラメータを用いて制御対象を制御した場合の結果を示す第一運転結果情報と、第二制御実行部５９１が運転パラメータを用いて制御対象を制御した場合の結果を示す第二運転結果情報とを表示するようにしてもよい。
【０１２１】
このように、切替側表示部６２０が第二制御実行部５９１による制御のシミュレーション結果に基づいて運転結果を表示することで、実際には第二制御実行部５９１が制御対象２１の制御を行っていない場合でも運転結果を表示することができる。
また、切替側表示部６２０は、同一の運転パラメータが示す同一条件での、第一制御実行部２９１による制御の結果及び第二制御実行部５９１による制御の結果を表示することができる。ユーザは、同一条件での制御の結果を比較できる点で、より高精度に比較を行うことができる。
【０１２２】
また、第四通信部５１０は、第二制御実行部５９１による制御対象２１の制御の程度を示す利用情報を取得する。課金算出部５９４は、利用情報に基づいて、第二制御実行部５９１の利用に対する課金を計算する。
これにより、制御切替装置２７では、第二制御実行部５９１の利用に対して従量制の課金を行うことが可能になる。この点で、第二制御実行部５９１を装置として販売する形態に限らず、他の販売形態ないし課金形態の選択肢を得られる。
【０１２３】
次に、図２１を参照して、プラント１０及び発電プラント２０を構成するためのハードウェア構成の例について説明する。
図２１は、少なくとも１つの実施形態に係るコンピュータの構成例を示す概略ブロック図である。図２１に示すコンピュータ５０は、ＣＰＵ５１と、記憶装置５２と、通信装置５３と、表示装置５４と、入力装置５５とを備える。記憶装置５２は、各種情報及びプログラムを記憶する。ＣＰＵ５１は、記憶装置５２からプログラムを読み出して実行することで、コンピュータ５０の各部を制御して各種処理を実行する。通信装置５３は、他の装置と通信を行う。表示装置５４は、各種画像を表示する。入力装置５５は、ユーザ操作を受ける。
但し、図２１に示す各部の全てがコンピュータ５０に必要とは限らない。例えば、上述したリモートサーバ装置本体２５及び制御切替装置本体２８のように、端末装置が別筐体にて構成されている装置をコンピュータ５０に実装する場合、コンピュータ５０が表示装置５４及び入力装置５５を備えていなくてもよい。
【０１２４】
上述のプラント１０及び発電プラント２０の全部又は一部が、１つ以上のコンピュータ５０に実装されていてもよい。
例えばプラント１０の第一制御実行部１２、第二制御実行部１３及び制御切替部１５の全部又は一部の動作は、プログラムの形式で記憶装置５２に記憶されている。ＣＰＵ５１は、プログラムを記憶装置５２から読み出し、このプログラムに従って第一制御実行部１２の処理、第二制御実行部１３の処理及び制御切替部１５の処理を実行する。第一制御実行部１２、第二制御実行部１３及び制御切替部１５が１つのコンピュータ５０に実装されていてもよいし、これらのうち少なくともいずれか１つが、別のコンピュータに実装されていてもよい。操作入力部１４は、入力装置５５に実装されている。
【０１２５】
また、発電プラント２０の制御装置２２、リモートサーバ装置本体２５、リモート端末装置２６、制御切替装置本体２８及び制御切替端末装置２９が、それぞれ１つのコンピュータ５０に実装されていてもよい。
制御装置２２の場合、第一記憶部２８０は、記憶装置５２に実装される。第一制御部２９０の動作は、プログラムの形式で記憶装置５２に記憶されている。ＣＰＵ５１は、プログラムを記憶装置５２から読み出し、このプログラムに従って第一制御部２９０の処理を実行する。第一通信部２１０は、通信装置５３に実装されている。
【０１２６】
リモートサーバ装置本体２５の場合、第二記憶部３８０は、記憶装置５２に実装される。第二制御部３９０の動作は、プログラムの形式で記憶装置５２に記憶されている。ＣＰＵ５１は、プログラムを記憶装置５２から読み出し、このプログラムに従って第二制御部３９０の処理を実行する。第二通信部３１０は、通信装置５３に実装されている。
リモート端末装置２６の場合、第三記憶部４８０は、記憶装置５２に実装される。第三制御部４９０の動作は、プログラムの形式で記憶装置５２に記憶されている。ＣＰＵ５１は、プログラムを記憶装置５２から読み出し、このプログラムに従って第三制御部４９０の処理を実行する。第三通信部４１０は、通信装置５３に実装されている。リモート側表示部４２０は、表示装置５４に実装されている。リモート側操作入力部４３０は、入力装置５５に実装されている。
【０１２７】
制御切替装置本体２８の場合、第四記憶部５８０は、記憶装置５２に実装される。第四制御部５９０の動作は、プログラムの形式で記憶装置５２に記憶されている。ＣＰＵ５１は、プログラムを記憶装置５２から読み出し、このプログラムに従って第四制御部５９０の処理を実行する。第四通信部５１０は、通信装置５３に実装されている。
制御切替端末装置２９の場合、第五記憶部６８０は、記憶装置５２に実装される。第五制御部６９０の動作は、プログラムの形式で記憶装置５２に記憶されている。ＣＰＵ５１は、プログラムを記憶装置５２から読み出し、このプログラムに従って第五制御部６９０の処理を実行する。第五通信部６１０は、通信装置５３に実装されている。切替側表示部６２０は、表示装置５４に実装されている。切替側操作入力部６３０は、入力装置５５に実装されている。
【０１２８】
なお、プラント１０及び発電プラント２０の全部または一部の機能を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【０１２９】
以上、本発明の実施形態を図面を参照して詳述してきたが、具体的な構成はこの実施形態に限られるものではなく、この発明の要旨を逸脱しない範囲の設計変更等も含まれる。
【符号の説明】
【０１３０】
１０  プラント
１１、２１  制御対象
１２、２９１  第一制御実行部
１３、５９１  第二制御実行部
１４  操作入力部
１５、５９２  制御切替部
２０  発電プラント
２２  制御装置
２１０  第一通信部
２８０  第一記憶部
２９０  第一制御部
２３  ゲートウェイ装置
２４  リモートサーバ装置
２５  リモートサーバ装置本体
３１０  第二通信部
３８０  第二記憶部
３８１  リモート側運転パラメータ履歴記憶部
３８２  リモート側運転結果データ履歴記憶部
３９０  第二制御部
３９１  アプリケーション生成部
３９２  アプリケーションインストール部
２６  リモート端末装置
４１０  第三通信部
４２０  リモート側表示部
４３０  リモート側操作入力部
４８０  第三記憶部
４９０  第三制御部
２７  制御切替装置
２８  制御切替装置本体
５１０  第四通信部
５８０  第四記憶部
５８１  切替側運転パラメータ履歴記憶部
５８２  切替側運転結果データ履歴記憶部
５９０  第四制御部
５９３  シミュレーション実行部
５９４  課金算出部
２９  制御切替端末装置
６１０  第五通信部
６２０  切替側表示部
６３０  切替側操作入力部
６８０  第五記憶部
６９０  第五制御部
９１  通信ネットワーク
【図１】
2019008579.tif 000003
【図２】
2019008579.tif 000004
【図３】
2019008579.tif 000005
【図４】
2019008579.tif 000006
【図５】
2019008579.tif 000007
【図６】
2019008579.tif 000008
【図７】
2019008579.tif 000009
【図８】
2019008579.tif 000010
【図９】
2019008579.tif 000011
【図１０】
2019008579.tif 000012
【図１１】
2019008579.tif 000013
【図１２】
2019008579.tif 000014
【図１３】
2019008579.tif 000015
【図１４】
2019008579.tif 000016
【図１５】
2019008579.tif 000017
【図１６】
2019008579.tif 000018
【図１７】
2019008579.tif 000019
【図１８】
2019008579.tif 000020
【図１９】
2019008579.tif 000021
【図２０】
2019008579.tif 000022
【図２１】
2019008579.tif 000023